(57)【要約】【課題】摩擦体の回転を抑制し、繰り返しの使用しても摩擦体にガタツキが発生し難い熱変色性筆記具を提供する。【解決手段】筆記具を構成する筒体の一方の端部に、熱変色性インキの筆跡を摩擦し、その際に生じる摩擦熱で前記熱変色性インキの筆跡を熱変色可能なゴム状弾性を有する軟質樹脂からなる摩擦体を、直接又は保持部材を介して装着してなる熱変色性筆記具であって、前記摩擦体が、少なくとも前記筒体の一方の端部の内面に装着する装着部と、前記筒体又は保持部材の一方の端部から外方に突出し、前記熱変色性インキの筆跡を摩擦する摩擦部とを有し、前記摩擦体の装着部の側面に、凹部又は凸部を設け、前記筒体又は保持部材の内面に、凸部又は凹部を設けるるとともに、前記装着部の凹部内に、前記筒体又は保持部材の凸部を配設、または前記筒体又は保持部材の凹部内に、前記装着部の凸部を配設したことを特徴する。【選択図】      図３
2014124900.tif 000002
【特許請求の範囲】
【請求項１】
筆記具を構成する筒体の一方の端部に、熱変色性インキの筆跡を摩擦し、その際に生じる摩擦熱で前記熱変色性インキの筆跡を熱変色可能なゴム状弾性を有する軟質樹脂からなる摩擦体を、直接又は保持部材を介して装着してなる熱変色性筆記具であって、前記摩擦体が、少なくとも前記筒体の一方の端部の内面に装着する装着部と、前記筒体又は保持部材の一方の端部から外方に突出し、前記熱変色性インキの筆跡を摩擦する摩擦部とを有し、前記摩擦体の装着部の側面に、凹部又は凸部を設け、前記筒体又は保持部材の内面に、凸部又は凹部を設けるるとともに、前記装着部の凹部内に、前記筒体又は保持部材の凸部を配設、または前記筒体又は保持部材の凹部内に、前記装着部の凸部を配設したことを特徴する熱変色性筆記具。
【請求項２】
前記摩擦体を、保持部材を介して装着するとともに、前記筒体の一方の端部に、前記保持部材を着脱自在に装着してあることを特徴とする請求項１に記載の熱変色性筆記具。
【請求項３】
前記摩擦体の摩擦部と、筒体の内面又は保持部材の側面に通溝を設けてなり、少なくとも前記摩擦部の通溝の一部と、前記筒体又は保持部材の通溝の一部が、長手方向において連通することを特徴とする請求項１または２に記載の熱変色性筆記具。
【請求項４】
前記摩擦体の側面の外側に、外筒体を着脱自在に配設したことを特徴とする請求項１または３の何れか１項に記載の熱変色性筆記具。
【発明の詳細な説明】
【技術分野】
【０００１】
本発明は、筆記具を構成する筒体の一方の端部に、熱変色性インキの筆跡を摩擦し、その際に生じる摩擦熱で前記熱変色性インキの筆跡を熱変色可能なゴム状弾性を有する軟質樹脂からなる摩擦体を具備してなる熱変色性筆記具に関する。
【背景技術】
【０００２】
従来から、筆記具を構成する筒体の一方の端部に具備した、熱変色性インキの筆跡を摩擦し、その際に生じる摩擦熱で前記熱変色性インキの筆跡を熱変色可能なゴム状弾性を有する軟質樹脂からなる摩擦体については、特開２００７−１４４９９１号公報「軟質部材の取付構造」等で開示されている。
【０００３】
また、前記した特開２００７−１４４９９１号公報「軟質部材の取付構造」では、軸筒やキャップなどの筒体に設けた内向突起と、摩擦体の脚部に設けた外向突起とを乗り越え嵌合することで、筒体と摩擦体の装着力を高めた装着構造が開示されている。
【先行技術文献】
【特許文献】
【０００４】
【特許文献１】特開２００７−１４４９９１号公報
【発明の概要】
【発明が解決しようとする課題】
【０００５】
ところで、熱変色性インキの筆跡を摩擦するときには、摩擦体を特に意識することなく紙面に当接させることが多く、その後、上下方向、左右方向などに摩擦することで、熱変色させている。また、カバンや筆箱に入れて移動する時など、摩擦体が不用意に、カバンや筆箱に当接することもあった。
【０００６】
しかし、特許文献１では、回転方向へ力が加わると、摩擦体が回転し、摩擦熱の発生効率を低下する恐れがあった。また、摩擦体が回転によって、摩擦体及び／又は筒体に磨耗又は損傷によって、摩擦体が回転しやすくなるとともに、摩擦体と筒体に隙間が発生し、摩擦体にガタツキを生じる恐れがあった。
【０００７】
本発明はこれらの従来技術に鑑みてなされたものであって、摩擦体の回転を抑制し、繰り返しの使用しても摩擦体にガタツキが発生し難い熱変色性筆記具を提供することにある。
【課題を解決するための手段】
【０００８】
本発明は、前記問題を解決するために、筆記具を構成する筒体の一方の端部に、熱変色性インキの筆跡を摩擦し、その際に生じる摩擦熱で前記熱変色性インキの筆跡を熱変色可能なゴム状弾性を有する軟質樹脂からなる摩擦体を、直接又は保持部材を介して装着してなる熱変色性筆記具であって、前記摩擦体が、少なくとも前記筒体又は保持部材の一方の端部の内面に装着する装着部と、前記筒体又は保持部材の一方の端部から外方に突出し、前記熱変色性インキの筆跡を摩擦する摩擦部とを有し、前記摩擦体の装着部の側面に、凹部又は凸部を設け、前記筒体又は保持部材の内面に、凸部又は凹部を設けるるとともに、前記装着部の凹部内に、前記筒体又は保持部材凸部を配設、または前記筒体又は保持部材の凹部内に、前記装着部の凸部を配設したことを特徴する。尚、本発明において、一方とは、長手方向において前方又は後方を示すものであり、他方とはその反対方向を示すものである。
【０００９】
また、前記摩擦体を、保持部材を介して装着するとともに、前記筒体の一方の端部に、前記保持部材を着脱自在に装着してあることを特徴とする。
【００１０】
また、前記摩擦体の摩擦部と、保持部材の側面に通溝を設けてなり、少なくとも前記摩擦部の通溝の一部と、前記保持部材の通溝の一部が、長手方向において連通することを特徴とする。
【００１１】
さらにまた、前記摩擦体の側面の外側に、外筒体を着脱自在に配設したことを特徴とする。
【００１２】
本願発明の第１の構成によれば、前記摩擦体が、少なくとも前記筒体の一方の端部の内面に装着する装着部と、前記筒体又は保持部材の一方の端部から外方に突出し、前記熱変色性インキの筆跡を摩擦する摩擦部とを有し、前記摩擦体の装着部の側面に、凹部又は凸部を設け、前記筒体又は保持部材の内面に、凸部又は凹部を設けるるとともに、前記装着部の凹部内に、前記筒体又は保持部材の凸部を配設、または前記筒体又は保持部材の凹部内に、前記装着部の凸部を配設することで、前記摩擦体の回転方向への移動を規制することができ、回転による摩擦熱発生効率の低下を抑制するとともに、繰り返しの使用しても摩擦体の回転による摩耗や損傷を抑制し、摩擦体と筒体又は保持部材とのガタツキを発生し難くすることができる。
【００１３】
本発明の摩擦体は、筒体又は保持部材に、乗り越し嵌合、凹凸嵌合、圧入嵌合等によって装着することができる。また、装着部の凹部内に、前記筒体又は保持部材凸部を位置して配設、または前記筒体又は保持部材の凹部内に、円周方向において前記装着部の凸部が回転を抑制する位置に配設してあれば、遊嵌状や密嵌状等、特に限定されるものではないが、装着性を考慮して遊嵌状に配設することが好ましい。
【００１４】
尚、摩擦体の摩擦部には、ゴム状弾性を有する軟質樹脂、例えば、シリコーンゴム、フッ素系ゴム、クロロプレンゴム、ニトリルゴム、ポリエステル系ゴム、エチレンプロピレンジエンゴム（ＥＰＤＭ）、スチレン系エラストマー、エステル系エラストマー、オレフィン系エラストマー等、ゴム状弾性を有するゴム、エラストマー等の弾性体が挙げられ、適宜選択して用いることができる。また、摩擦体としては、ショアＡ硬度４０以上、１００以下が好ましい。また、摩擦体は、筒体又は保持部材に、乗り越し嵌合、凹凸嵌合、圧入嵌合等によって装着することができ、前記した凹部と凸部によってのみ装着することもできるが、装着性や引抜力（長手方向への力）を考慮して、前記した凹部と凸部とは長手方向及び／または円周方向の異なる部分にて、摩擦体の装着部と、筒体又は保持部材とを装着することが好ましく、さらに、凹部内に凸部が挿入した後、摩擦体の装着部と、筒体又は保持部材とを装着を開始することで、摩擦体が回転することによる組立性の低下を抑制することができるので好ましい。
【００１５】
本願発明の第２の構成によれば、前記摩擦体を、保持部材を介して装着するとともに、前記筒体の一方の端部に、前記保持部材を着脱自在に装着することで、摩擦部に汚れが付着したときや、摩擦体及び／または摩擦体保持部を所望の色に交換するとき等、使用者が摩擦体を交換しやすくすることができる。尚、保持部材は、筒体に凹凸嵌合、圧入嵌合、螺着等によって着脱自在に装着することができる。
【００１６】
但し、保持部材を螺着等、回転によって、着脱自在とする場合には、着脱に必要な回転力は、摩擦操作時に、保持部材が回転し難く、且つ保持部材の着脱性を考慮して、一定の回転トルクによって、回転を開始することが好ましく、具体的には、２００ｇｆ・ｃｍ以上、より好ましくは、４００ｇｆ・ｃｍ以上、１０００ｇｆ・ｃｍ以下、好ましく８００ｇｆ・ｃｍ以下とすることが好ましい。尚、保持部材を回転する力は、株式会社
東日製作所社製  トルクメーターを用いて測定することができる。
【００１７】
本願発明の第３の構成によれば、前記摩擦体の摩擦部と、筒体の内面又は保持部材の側面に通溝を設けてなり、少なくとも前記摩擦部の通溝の一部と、前記筒体又は保持部材の通溝の一部が、長手方向において連通することで、摩擦体の装着時に筒体内の圧力が高まることなく装着することできるとともに、摩擦体及び保持部材が外れて、誤飲しても空気の流通を確保することができる。
【００１８】
本願発明の第４の構成によれば、前記摩擦体の側面の外側に、外筒体を着脱自在に配設することで、熱変色性筆記具を持ち運ぶときに、摩擦部にゴミなどが付着する等、外部に露出する摩擦部の汚れを抑制することができる。
【００１９】
本発明に用いる熱変色性インキには、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２０】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【発明の効果】
【００２１】
本発明は、摩擦体の回転を抑制し、繰り返しの使用しても摩擦体にガタツキが発生し難い熱変色性筆記具を提供することができた。
【図面の簡単な説明】
【００２２】
【図１】第１実施形態の熱変色性筆記具を示す縦断面図である。
【図２】図１における筆記先端部が突出した状態を示す縦断面図である。
【図３】図１における一部省略した要部拡大断面図である。
【図４】図１における摩擦体及び保持部材を示す斜視図である。
【図５】図３における一部省略した要部Ａ−Ａ断面図である。
【図６】図１における摩擦体を使用する状態の一例を示す図である。
【発明を実施するための形態】
【００２３】
図１〜図５に、第１実施形態の熱変色性筆記具１を示す。熱変色性筆記具１は、軸筒内に収容したボールペンレフィルからなる筆記体１４を、コイルスプリングからなる弾発体１０によって、軸筒本体の後端方向に向かって、摺動自在に付勢して収容してある。軸筒本体は、前軸２、中間軸３、連結具４、後軸６からなり、前軸２と中間軸３とを連結具４を介して装着し、中間軸３の後端部には、長手方向に延びる細長状の窓孔６Ａを形成した後軸６を装着して軸筒本体を得ている。
【００２４】
軸筒は、前記した軸筒本体と先部材５とかなり、軸筒本体の前軸２の先端部に設けた雄ねじ部に、先部材５を着脱自在に螺着して軸筒を得ている。さらにまた、中間軸３の後端部に形成した係合凸部を、外筒１２の被係合部に落とし込み嵌合して、外筒１２を軸筒本体に外嵌してある。
【００２５】
弾発体１０は、先部材５によって、直接、先端部を受け止めてあり、もう一方の端部（後端部）は、筆記体１４のチップホルダー１６に、直接、当接して、筆記体１４を軸筒本体の後端方向に向かって付勢している。
【００２６】
後軸６の外周面には、長手方向に延びる細長状の窓孔６Ａが径方向に内外を連通して貫設してあり、この窓孔６Ａから後軸６の外周面から径方向外方に突出するように操作体８が配設される。操作体８は、窓孔６Ａから外方に突出する、クリップ１３を装着する操作部８Ａと、中間軸３の長孔３Ｂを挿通し、回転カム７を先方に移動するとともに回転を誘導するように先端に複数の鋸歯状のカム部（図示せず）を形成した軸部８Ｂとを具備している。
【００２７】
後軸６の後端部には保持部材１１を、後軸６の後端部内に設けた雌ねじ部と、保持部材１１の側面に設けた雄ねじ部とを、保持部材１１の後端が、後軸６内に内在するように着脱自在に螺着してある。また、保持部材１１には、熱可塑性エラストマーからなるゴム状弾性を有する白色半透明の摩擦体９を、保持部材１１の内方突起部１１Ａに摩擦体９の装着部９Ｂに設けた外方突起部９Ｃを乗り越し嵌合することによって装着してある。
【００２８】
摩擦体９は、保持部材１１の後端部から外方（後方）に突出する摩擦部９Ａと、保持部材１１に装着する装着部９Ｂとを有し、摩擦部９Ａの側面には、長手方向に延びる窪み状の通溝９Ｄを周方向に離間して４個、設けてある。また、保持部材１１の側面には窪み状の通溝１１を周方向に離間して４個、設けてあり、摩擦部９Ａの通溝９Ｄと保持部材１１の通溝１１Ｂは長手方向で連通し、後軸６後端部の内外を連通している。
【００２９】
また、摩擦体９の装着部９Ｂの先端部の側面には溝状の凹部９Ｅを周方向に離間して２個、設けてあり、対向する保持部材１１の内面にはリブ状の凸部１１Ｃを周方向に離間して２個、設けてある。摩擦体９を保持部材１１に装着するには、摩擦体９を後軸６の後方側から押し込み、装着部９Ｂの凹部９Ｅ内に保持部材１１の凸部１１Ｃの先端部が挿入した後、保持部材１１の内方突起部１１Ａに摩擦体９の装着部９Ｂに設けた外方突突起９Ｃを乗り越し嵌合し始め、さらに、摩擦体９を押し込むと、乗り越し嵌合が終了し、装着部９Ｂの凹部９Ｅ内に保持部材１１の凸部１１Ｃが配設し、摩擦体９の回転を抑制して装着してある。
【００３０】
また、後軸６後端部に保持部材１１を螺着した後、保持部材１１を取り外すのに必要な回転トルクは、４００ｇｆであって、保持部材１１の内面の凸部１１Ｃが、摩擦体９の装着部９Ｂの凹部９Ｅによって、回転方向の移動を規制する回転抑止力よりも小さくしてあるため、摩擦体９を把持して回転することで、保持部材１１を着脱自在に装着することができる。
【００３１】
また、後軸６の後端部及び摩擦体９の外側には、内外を連通する貫通孔２０Ａ以外は後端を閉鎖したドーム状の後端部と円筒状の側面からなる黒色の外筒体２０を着脱自在に、後軸６の雄ねじ部に外筒体２０内面の雌ねじ部とを螺着してある。
【００３２】
出没機構は、クリップ１３を装着した操作体８を先部材５の先端開口部５Ａ方向にスライドすることによって、軸部８Ｂのカム部、回転カム７からなる従来から知られている回転カムによる出没機構を作動させ、ボールペンチップからなる筆記先端部１７を、先部材５の先端開口部５Ａから出没可能としてある。
【００３３】
筆記先端部１７が先部材５の先端開口部５Ａより没入した状態で、操作体４の操作部を先部材５の先端開口部５Ａ方向にスライドすると、回転カム機構が作動し、筆記先端部１７が突出した状態を維持して筆記することができる。
【００３４】
また、筆記体１４の筆記先端部１７が先部材５の先端開口部５Ａから突出した状態で、再度、クリップ１３を装着した操作体８を先部材５の先端開口部５Ａ方向にスライドすることによって、軸部８Ｂのカム部、回転カム７からなる従来から知られている回転カムによる出没機構を作動させ、ボールペンチップからなる筆記先端部１７を、先部材５内に没入することができる。
【００３５】
筆記体１４は、ボール抱持室と、ボール抱持室の中央にインキ流通孔と、このインキ流通孔に連通する放射状に延び、チップ後部孔に達しないインキ流通溝を有するとともに、ボール抱持室の底壁に、φ０．５ｍｍのタングステンカーバイド製のボールを載置し、チップ先端部を内側にかしめことにより、ボールの一部がチップ先端縁より突出するように回転自在に抱持したボールペンチップからなる筆記先端部１７を、インキ収容筒１５の先端部に、チップホルダー１６を介して装着してある。また、インキ収容筒１５の後端部には尾栓１９を装着してある。また、ボールの後方には、ボールを常時、押圧するスプリング１８を配設してある。
【００３６】
また、インキ収容筒１５内には、図示はしてないが、レーザー解析よる体積基準での平均粒径が０．５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性インキと、このインキの後端に、グリース状のインキ追従体を直に収容してある。
【００３７】
この筆記体１４を筆記すると、筆記先端部１７のボールの回転と、筆圧によって、ボールが底壁側に移動して、チップ先端部の内壁とボールに隙間を生じ、インキを吐出して筆記することができる。
【００３８】
筆跡を熱変色するには、図６に示すとおり、外筒体２０を取り外して、摩擦体９の摩擦部９Ａをノート等の筆記面Ｈに筆記した筆跡に圧接し、擦ることで発生する熱によって、熱変色性インキの筆跡を熱消色させることができる。
【００３９】
本実施形態では、軸筒本体と先部材によって軸筒を構成し、便宜上、軸筒本体は、前軸、中間軸、連結具、後軸の４部品で構成しているが、前軸と後軸の２部品等、先部材の有無や部品点数は、特に限定されるものはない。
【００４０】
また、筒体として、回転カムからなる出没機構を具備した出没式筆記具の軸筒（後軸）を例示しているが、筆記具を構成する筒体であれば、回転繰り出し等、出没機構は特に限定されるものではなく、キャップ式筆記具の軸筒やキャップ、ノック体を筒体としてあってもよい。また、操作体としてクリップを例示してあるが、操作体の形状やクリップの有無は特に限定されるものではない。但し、操作体の操作部やクリップの幅を摩擦体の最大幅よりも小さくすることで、摩擦体の使用時に、筆記面上の筆跡を視認し易いので、好ましい。
【００４１】
また、本実施形態では、保持部材を後軸内に内在して装着することで、摩擦部の視認性が向上するので好ましいが、筒体後端部（一方の端部）であれば、保持部材の装着場所は特に限定されるものではない。また、凸部と凹部による摩擦体の回転抑制構造は、複数個設けることが好ましく、本実施形態では、周方向に離間して２箇所に配設しているが、１個、３個等、数は特に限定されるものでない。
【００４２】
また、外筒体の装着構造は、本実施形態のように、後軸に設けた雄ねじ部と外筒体内面の雌ねじ部とを螺着することが、繰り返しの着脱による装着力の低下が抑制できるので好ましいが、凹凸嵌合、乗り越し嵌合、圧入装着など、摩擦体を保護する構造であれば、後軸と外筒体の装着構造は着脱自在であれば、特に限定されるものではない。
【００４３】
外筒体の形状も特に限定されるものではなく、実施形態のように、一端を閉鎖して摩擦体の側面及び後端部の略全体を覆う形状とし、摩擦体を保護することが最も好ましいが、一端を開口し、開口端を摩擦部とした形状であってもよい。
【００４４】
また、外筒体の色を軸筒と略同色又は同系色とすると、軸筒と外筒体との一体感が得られやすく好ましいが、外筒体の色は特に限定されるものではない。また、摩擦体の色は、特に限定されるものではないが、無色透明、無色半透明色、白色等とすることで、部品の共通化等のコストダウンに繋がるため、好ましい。
【産業上の利用可能性】
【００４５】
本発明の熱変色性筆記具は、利便性を考慮して出没式筆記具とすることが好ましいが、キャップ式筆記具等、熱変色性筆記具として広く利用可能である。
【符号の説明】
【００４６】
１  熱変色性筆記具
２  前軸
３  中間軸
３Ａ  当接部
３Ｂ  長孔
４  連結具
５  先部材
６  後軸
６Ａ  窓孔
７  回転カム
８  操作体
８Ａ  操作部
８Ｂ  押圧部
９  摩擦体
９Ａ  摩擦部
９Ｂ  装着部
９Ｃ  外方突部
９Ｄ  通溝
９Ｅ  凹部
１０  弾発体
１１  保持部材
１１Ａ  内方突起部
１１Ｂ  通溝
１１Ｃ  凸部
１２  外筒体
１３  クリップ
１４  筆記体
１５  インキ収容筒
１６  チップホルダー
１７  筆記先端部
１９  尾栓
２０  外筒体
２０Ａ  貫通孔
【図１】
2014124900.tif 000003
【図２】
2014124900.tif 000004
【図３】
2014124900.tif 000005
【図４】
2014124900.tif 000006
【図５】
2014124900.tif 000007
【図６】
2014124900.tif 000008